(57)【要約】      （修正有）【課題】簡単な構造で、作業性が良好であり、確実にボトル等の収容物を衝撃から守り、また収容物を簡単な操作で取り出すことができる包装用箱を提供する。【解決手段】一枚のブランクシートから一体的に打ち抜かれた箱体形成片から成り、連接方向一端の側面１４に連接方向に一体に設けられ、側面１４の他端の側面２０の内側に糊付けされる第一糊付片２２を有する。第一糊付片２２の側縁部に連接し側面の裏面に重ねられる連結片と、連結片の側縁部に連接し内側を仕切る仕切り片と、仕切り片の側縁部に連接し側面１４の内側に糊付けされる第二糊付片４０を備える。仕切り片の上方の端部に一体に設けられ被収容物の上部を押さえる押さえ片４４と、押さえ片４４の先端に設けられ側面２０の裏面に重ねられる重ね片と、重ね片の先端に突出して設けられ箱体のフラップ９６または上蓋片７４に当接する摘み部５２を備える。【選択図】図１
0003119149.tif 000002
【実用新案登録請求の範囲】
【請求項１】
一枚のブランクシートから一体的に打ち抜かれた箱体形成片から成り、この箱体形成片には、互いに平行に連接された側面と、前記側面の連接方向一端の側面に連接方向に一体に設けられ前記側面の他端の側面の内側に糊付けされる第一糊付片と、前記第一糊付片の側縁部に連接し前記側面の裏面に重ねられる連結片と、前記連結片の側縁部に連接し前記箱体形成片が組み立てられるときに前記箱体の内側を仕切る仕切り片と、前記仕切り片の側縁部に連接し前記側面の内側に糊付けされる第二糊付片が設けられ、前記箱体形成片を組み立てたときに箱体の内側が前記仕切り片で仕切られて収容空間が形成され、前記収容空間には、前記仕切り片の上方の端部に一体に設けられ被収容物の上部を押さえる押さえ片と、前記押さえ片の先端に設けられ前記側面の裏面に重ねられる重ね片と、前記重ね片の先端に突出して設けられ前記箱体の上方の開口を閉鎖するフラップまたは上蓋片に当接する摘み部が折罫線を介して設けられ、前記摘み部は前記摘み部の折罫線で折り曲げられた状態で、前記フラップまたは前記上蓋片に当接し弾性的に前記押さえ片を押し下げることを特徴とする包装用箱。
【請求項２】
前記収容空間はボトルを収容するものであることを特徴とする請求項１記載の包装用箱。
【請求項３】
前記押さえ片は、前記仕切り片の上方の端部に設けられていることを特徴とする請求項１または２記載の包装用箱。
【請求項４】
前記摘み部は、前記フラップの基端部近傍に当接していることを特徴とする請求項１または２記載の包装用箱。
【考案の詳細な説明】
【技術分野】
【０００１】
この考案は、液体等の商品が入れられたボトル等を収容する包装用箱に関する。
【背景技術】
【０００２】
従来、化粧水等の液体の商品を収容して販売するボトルは、紙製等の包装用箱に収容され、運搬、保管、陳列されている。このようなボトル用包装用箱は、収容したボトルを保護し中でがたつかないように、包装用箱内を仕切る仕切り片と、上から緩衝的に押さえる押さえ片が設けられている。例えば、特許文献１に開示されているアンプル等のセット箱は、外周壁面の裏面に重ねられる内壁面の上辺から折曲線を介して押さえ片が延設されている。押さえ片には、アンプルの先端が挿通され保持される長孔が設けられている。
【特許文献１】実開昭５４−８１８２２号公報
【考案の開示】
【考案が解決しようとする課題】
【０００３】
上記特許文献１に開示されたアンプル等のセット箱は、押さえ片に長孔が設けられ、この長孔にアンプルの先端が挿通され保持されるものであり、容器の上端部を押さえて緩衝効果を有するものではなかった。しかも、長孔にアンプルの先端が挿通されているため、引っかかって取り出しにくく、包装時にアンプルを入れるときも作業性がよくなかった。
【０００４】
本考案は、上記従来の技術の問題点に鑑みてなされたものであり、簡単な構造で、作業性が良好であり、確実にボトル等の収容物を衝撃から守り、また収容物を簡単な操作で取り出すことができる包装用箱を提供することを目的とする。
【課題を解決するための手段】
【０００５】
本考案は、一枚のブランクシートから一体的に打ち抜かれた箱体形成片から成り、この箱体形成片には、互いに平行に連接された側面と、前記側面の連接方向一端の側面に連接方向に一体に設けられ前記側面の他端の側面の内側に糊付けされる第一糊付片と、前記第一糊付片の側縁部に連接し前記側面の裏面に重ねられる連結片と、前記連結片の側縁部に連接し前記箱体形成片が組み立てられるときに前記箱体の内側を仕切る仕切り片と、前記仕切り片の側縁部に連接し前記側面の内側に糊付けされる第二糊付片が設けられ、前記箱体形成片を組み立てたときに箱体の内側が前記仕切り片で仕切られて収容空間が形成され、前記収容空間には、前記仕切り片の上方の端部に一体に設けられ被収容物の上部を押さえる押さえ片と、前記押さえ片の先端に設けられ前記側面の裏面に重ねられる重ね片と、前記重ね片の先端に突出して設けられ前記箱体の上方の開口を閉鎖するフラップまたは上蓋片に当接する摘み部が折罫線を介して設けられ、前記摘み部は前記摘み部の折罫線で折り曲げられた状態で、前記フラップまたは前記上蓋片に当接し弾性的に前記押さえ片を押し下げる包装用箱である。前記収容空間は、例えばボトルを収容するものである。
【０００６】
前記押さえ片は、前記仕切り片の上方の端部に設けられている。また、前記摘み部は、前記フラップの基端部近傍に当接している。
【考案の効果】
【０００７】
本考案の包装用箱は、簡単な構造により確実に収容物であるボトル等の商品を保持し、緩衝効果を有して安全に収容することができる。摘み部が緩衝効果をする弾性体と、取り出すときの持ち手の役割を果たし、効率が良い。これにより、ボトル等の商品の破損を防ぎ、安全に保管や運搬、陳列を行うことができる。
【考案を実施するための最良の形態】
【０００８】
以下、この考案の実施形態について図面に基づいて説明する。図１〜図３はこの考案の一実施形態の包装用箱であるボトル用包装箱１０について示したもので、この実施形態のボトル用包装箱１０は、厚紙等の一枚のブランクシートを打ち抜いて形成された箱体形成片１２を組み立てて設けられている。
【０００９】
箱体形成片１２は、側面１４，１６，１８，２０が、互いに平行に連接して形成されている。さらに側面１４の側縁部には、ボトル用包装箱１０の組立状態で側面２０の裏面に糊付けされる第一糊付片２２が設けられている。そして、第一糊付片２２、側面１４，１６，１８，２０は、各々折罫線２４，２６，２８，３０で区切られている。
【００１０】
第一糊付片２２の、側面１４と反対側の側縁部には、側面１８の裏面に重ねられる連結片３２が折罫線３４で区切られて設けられている。連結片３２は、側面１８よりも小さく形成され、縦方向と横方向の長さは側面１８の約半分である。連結片３２は、第一糊付片２２の側縁部の、組立状態で上方寄りの位置に設けられている。
【００１１】
連結片３２の、第一糊付片２２と反対側の側縁部には、仕切り片３６が折罫線３８で仕切られて設けられている。仕切り片３６は、折罫線３８と平行方向の長さは連結片３２と等しく、折罫線３８と直角方向の長さは側面１６または側面２０とほぼ等しいか僅かに小さいものである。折罫線３８には、折罫線３８を曲げやすいように破断線が設けられている。
【００１２】
仕切り片３６の、連結片３２と反対側の側縁部には、側面１４の裏面に糊付けされる第二糊付片４０が折罫線４２で区切られて設けられている。折罫線４２には、折罫線４２を曲げやすいように破断線が設けられている。
【００１３】
仕切り片３６の、ボトル用包装箱１０の組立状態で上方に位置する端部３６ａには、押さえ片４４が折罫線４６で区切られて設けられている。押さえ片４４は、折罫線４６と平行方向の長さは仕切り片３６と等しく、折罫線４６と直角方向の長さは、ボトル用包装箱１０の組立状態で仕切り片３６と側面２０の間隔にほぼ等しいものである。折罫線４６にも、折罫線４６を曲げやすいように破断線が各々設けられている。
【００１４】
押さえ片４４の、仕切り片３６と反対側の端部には、側面２０の裏面に重ねられる重ね片４８が折罫線５０に区切られて設けられている。重ね片４８は、折罫線５０と平行方向の長さは仕切り片３６、押さえ片４４と等しく、折罫線５０と直角方向の長さはボトル用包装箱１０の組立状態で仕切り片３６の端部３６ａと、ボトル用包装箱１０の上端面の間隔に対して僅かに狭いものである。折罫線５０にも、折罫線５０を曲げやすいように破断線が各々設けられている。重ね片４８の、押さえ片４４と反対側の端部の中心には、重ね片４８の外側へ突出する半円形の摘み部５２が折罫線５４で区切られて設けられている。
【００１５】
また、側面１６の、ボトル用包装箱１０の組立状態で下方に位置する端部１４ａには、第一底蓋片５６が折罫線５８で区切られて設けられている。第一底蓋片５６の折罫線５８から折罫線５８に対して平行な端部５６ａまでの長さは、端部５６ａがボトル用包装箱１０の組立状態で底面の中心線付近に位置する長さ、つまり、側面１６，２０の半分の幅に設けられている。そして、端部５６ａの中心から折罫線２４側の部分は、端部５６ａよりも外側に幅広に形成された差込片６０となる。また第一底蓋片５６の折罫線２６近傍には、三角形の糊付片６２が折罫線６４で区切られて設けられ、折罫線６４は折罫線５８に対して鋭角で交差する方向に設けられている
側面１６の、側面１４の折罫線５８に隣接する端部には、三角状のフラップ６６が折罫線６８で区切られて設けられている。また、側面１６の、折罫線６８と反対側の端部には、台形状のフラップ７０が折罫線７２で区切られて設けられている。
【００１６】
側面１８の、側面１６の折罫線７２に隣接する端部には、上蓋片７４が折罫線７６で区切られて設けられている。上蓋片７４の折罫線７６の反対側の端部には、さらに差込片７８が折罫線８０で区切られて設けられている。折罫線８０の両端部には、切断線が設けられている。
【００１７】
そして、側面１８の、折罫線７６と反対側の端部には、第二底蓋片８２が折罫線８４で区切られて設けられている。第二底蓋片８２の折罫線８４から折罫線８４に対して平行な端部８２ａまでの長さは、端部８２ａがボトル用包装箱１０の組立状態で底面の中心線付近に位置する長さ、つまり、側面１６，２０の半分の幅に設けられている。そして、端部８２ａの中心から折罫線２８側の部分は、端部８２ａよりも外側に幅広に形成された差込片８６となる。また第二底蓋片８２の折罫線３０近傍には、三角形の糊付片８８が折罫線９０で区切られて設けられ、折罫線９０は折罫線８４に対して鋭角で交差する方向に設けられている。
【００１８】
側面２０の、側面１８の折罫線８４に隣接する端部には、三角状のフラップ９２が折罫線９４で区切られて設けられている。また、側面２０の、折罫線９４と反対側の端部には、台形状のフラップ９６が折罫線９８で区切られて設けられている。
【００１９】
次に、この実施形態のボトル用包装箱１０の組立方法について説明する。なお、ここでは図２がボトル用包装箱１０の箱体形成片１２の表面側を見たものであり、箱体形成片１２の表面側が凸になる折り方を正折り、裏面側が凸になる折り方を逆折りと称する。
【００２０】
まず、仕切り片３６に連接した第二糊付片４０の裏面に糊１００を塗布し、折罫線３４を正折りし、側面１４の裏面に第二糊付片４０の裏面を糊付けする。次に、第一底蓋片５６を折罫線５８で正折りし、そしてフラップ６６を折罫線６８で、第二底蓋片８２を折罫線８４で、フラップ９２を折罫線９４で正折りする。次に、第一底蓋片５６の折罫線６４で糊付片６２を逆折りし、また第二底蓋片８２の折罫線９０で糊付片８８を逆折りし、糊付片６２に糊１０２を、また糊付片８８に糊１０４を塗布する。
【００２１】
この後、折罫線２６で側面１４を正折りする。これにより、第一底蓋片５６の糊付片６２の裏面は、糊１０２によりフラップ６６の表面に糊付けされる。そして第一糊付片２２の表面に糊１０６を塗布し、側面２０を折罫線３０で正折りする。これにより、側面２０の裏面は、糊１０６により第一糊付片２２の表面に糊付けされ、第二底蓋片８２の糊付片８８の裏面は、糊１０４によりフラップ９２の表面に糊付けされる。
【００２２】
次に、収容物を入れる際に、折罫線２４，２６，２８，３０を各々９０°に正折りして四角形の箱体にする。このとき、第一底蓋片５６は側面１４からフラップ６６とともに引き起こされて折罫線５８で直角に正折りされ、同時に第二底蓋片８２は側面１８からフラップ９２と共に引き起こされて折罫線８４で直角に正折りされる。さらに第一底蓋片５６の差込片６０が第二底蓋片８２の端部８２ａの裏面に差し込まれ、第二底蓋片８２の差込片８６が第一底蓋片５６の端部５６ａの裏面に差し込まれ、互いに確実に係止されて底面を形成する。このとき、折罫線３４，３８も引き起こされて各々９０°に正折りされ、折罫線４２は引き起こされて９０°に逆折りされる。仕切り片３６は、側面１４，１８の間にほぼ直角に位置して設けられ、ボトル用包装箱１０内側空間を約２分割している。ボトル用包装箱１０の内側の、第一糊付片２２、連結片３２、仕切り片３６、側面１４で囲まれた空間が、ボトル用収容部１０８となる。
【００２３】
この状態で、化粧品等の液体が入れられたボトル１１０を、ボトル用包装箱１０のボトル用収容部１０８の中に入れる。ボトル１１０の上面は仕切り片３６の上端部とほぼ一致している。そして、ボトル１１０の上面を覆うように、押さえ片４４を折罫線４６で９０°に正折りし、ボトル用収容部１０８の上方を底部に対してほぼ平行に閉鎖する。更に重ね片４８を折罫線５０で９０°に逆折りし、側面２０と側面２０に糊付けされた第一糊付片２２との内側に重ねる。摘み部５２は折罫線５４で９０°に逆折りしておく。なお、ボトル用包装箱１０のボトル用収容部１０８以外の空間には、ボトル１１０以外の異なる形状の収容物を収納することができる。
【００２４】
次に、フラップ７０，９６を折罫線７２，９８で９０°に正折りし、その後折罫線７６で上蓋片７４を９０°に正折りし、差込片７８を折罫線８０で正折りし、差込片７８を側面１４の内側に差し込んで係止し、上面が形成される。このとき、摘み部５２はフラップ９６の折罫線９８近傍の裏面に当接する。摘み部５２が、折罫線５４での約９０°の逆折り状態から元の平坦なシートに戻ろうと角度が開いていくと、フラップ９６により上方への移動が制限されているため、摘み部５２の折罫線５４側と重ね片４８全体が下方に押し下げられる。これにより押さえ片４４がボトル１１０上面に押し付けられ、緩衝効果が得られる。
【００２５】
この実施形態のボトル用包装箱１０によれば、商品であるボトル１１０を安全で確実に収容し、保管や運搬、陳列を行うことができる。簡単な構造で緩衝効果が高いため、がたつきなくボトル１１０を保持し、破損を防ぎ、安全に収容することができる。摘み部５２は、折罫線５４での折り曲げ角度が、復元しようとする力で大きく開くことで、押さえ片４４を押し下げて高い緩衝効果を得ることができ、また開封するときは、摘み部５２を保持して引き上げるだけで押さえ片４４が開かれてボトル１１０が露出し、容易に取り出すことができる。ボトル用包装箱１０はボトル用収容部１０８とその他の空間の２種類に区分されているため、ボトル１１０と、その他の商品をセットで安全に収容することができる。また、構造が簡単なため組立が容易であり、生産性が高く大量生産が可能である。
【００２６】
なお、この考案の包装用箱は前記各実施形態に限定されるものではなく、ボトル等の収容物の収容部の大きさや配置など、自由に変更可能である。押さえ片は、仕切り片意外に第一糊付片や連結片に設けられても良い。そして、収容物はボトルに限定されず、いろいろな用途に利用することができる。また箱体形成片の組立手順は、適宜変更可能である。
【図面の簡単な説明】
【００２７】
【図１】この考案の包装用箱の一実施形態のボトル用包装箱の斜視図である。
【図２】この実施形態のボトル用包装箱の展開図である。
【図３】この実施形態のボトル用包装箱の縦断面図である。
【符号の説明】
【００２８】
１０  ボトル用包装箱
１２  箱体形成片
１４，１６，１８，２０  側面
２２  第一糊付片
３２  連結片
３４  仕切り片
４０  第二糊付片
４４  押さえ片
４８  重ね片
５２  摘み部
５６  第一底蓋片
６６，９２，７０，９６  フラップ
７４  上蓋片
８２  第二底蓋片
【図１】
0003119149.tif 000003
【図２】
0003119149.tif 000004
【図３】
0003119149.tif 000005